(57)【要約】【課題】長尺トレイ等を含む多様な被洗浄物をそれ自体にラッキング可能な洗浄機用ラックを提供すること。【解決手段】被洗浄物Ｇを載せた状態にて洗浄機Ｂの洗浄室Ｃ内に配置されて、洗浄機Ｃの噴射ノズルＥ１，Ｆ１から噴射供給される洗浄液により被洗浄物Ｇが洗浄されるように構成した洗浄機用ラックＡ１であって、脱着不能な構成部材（溶接にて接合されている丸棒１１ａ，１１ｂ，１１ｃ，１１ｄ，１１ｅ，１１ｆ，１１ｇ，１１ｈ，１１ｉ，１１ｊ，１１ｋ，１１ｍ）にて一体的に形成され、それ自体の高さ寸法Ｈが幅寸法Ｗおよび奥行き寸法より大きく形成されている。【選択図】  図１
2004181447.tif 000002
【特許請求の範囲】
【請求項１】
被洗浄物を載せた状態にて洗浄機の洗浄室内に配置されて、前記洗浄機の噴射ノズルから噴射供給される洗浄液により前記被洗浄物が洗浄されるように構成した洗浄機用ラックであって、長尺の被洗浄物を立て掛けて保持可能な保持部を一体的に有していることを特徴とする洗浄機用ラック。
【請求項２】
被洗浄物を載せた状態にて洗浄機の洗浄室内に配置されて、前記洗浄機の噴射ノズルから噴射供給される洗浄液により前記被洗浄物が洗浄されるように構成した洗浄機用ラックであって、脱着不能な構成部材にて一体的に形成され、それ自体の高さ寸法が幅寸法および奥行き寸法より大きいことを特徴とする洗浄機用ラック。
【請求項３】
請求項２に記載の洗浄機用ラックにおいて、前記構成部材が複数の丸棒であることを特徴とする洗浄機用ラック。
【請求項４】
請求項２または３に記載の洗浄機用ラックにおいて、前記被洗浄物を出し入れ可能な開口を少なくとも前方に有していることを特徴とする洗浄機用ラック。
【請求項５】
請求項２または３に記載の洗浄機用ラックにおいて、前記被洗浄物を出し入れ可能な開口を前方に有していて、前記被洗浄物の下面と係合して前記被洗浄物を下方から受承する受承部が後方に向けて下降傾斜していることを特徴とする洗浄機用ラック。
【請求項６】
請求項４に記載の洗浄機用ラックにおいて、前記被洗浄物の前方への倒れを防止する倒れ防止部材を備えていることを特徴とする洗浄機用ラック。
【発明の詳細な説明】
【０００１】
【発明の属する技術分野】
本発明は、被洗浄物を載せた状態にて洗浄機の洗浄室内に配置されて、前記洗浄機の噴射ノズルから噴射供給される洗浄液により前記被洗浄物が洗浄されるように構成した洗浄機用ラックに関する。
【０００２】
【従来の技術】
洗浄機の一つとして、洗浄室内の高さ寸法が幅寸法および奥行き寸法より大きいものがある。しかし、従来のラックは、高さ寸法が幅寸法および奥行き寸法より小さくて、長尺トレイ等の被洗浄物をラックに立て掛けて保持することはできない。このため、従来では、一般的なラック（高さ寸法が幅寸法および奥行き寸法より小さい樹脂ラック）に特殊治具（トレイ受け）を組み合わせることにより、長尺トレイ等の被洗浄物を立て掛けて保持することができるようにしている。
【０００３】
【発明が解決しようとする課題】
上記した従来の構成では、被洗浄物の種類・大きさに応じて、ラックを単独使用したり、特殊治具と組み合わせて使用していて、ラックを特殊治具と組み合わせて使用する場合には、被洗浄物のラッキング前にラックと特殊治具を組み合わせる必要があって手間がかかる。また、特殊治具を使用しないときには、特殊治具を保管しなければならず、保管場所を確保する必要がある。したがって、本発明は、長尺トレイ等を含む多様な被洗浄物をそれ自体にラッキング可能なラックを提供することを目的とする。
【０００４】
【課題を解決するための手段】
本発明は、被洗浄物を載せた状態にて洗浄機の洗浄室内に配置されて、前記洗浄機の噴射ノズルから噴射供給される洗浄液により前記被洗浄物が洗浄されるように構成した洗浄機用ラックであって、長尺の被洗浄物を立て掛けて保持可能な保持部を一体的に有していることに特徴がある。
【０００５】
また、本発明は、被洗浄物を載せた状態にて洗浄機の洗浄室内に配置されて、前記洗浄機の噴射ノズルから噴射供給される洗浄液により前記被洗浄物が洗浄されるように構成した洗浄機用ラックであって、脱着不能な構成部材にて一体的に形成され、それ自体の高さ寸法が幅寸法および奥行き寸法より大きいことに特徴がある。
【０００６】
この場合において、前記構成部材が複数の丸棒であることが望ましく、また、前記被洗浄物を出し入れ可能な開口を少なくとも前方に有していることが望ましい。また、前記被洗浄物を出し入れ可能な開口を前方に有していて、前記被洗浄物の下面と係合して前記被洗浄物を下方から受承する受承部が後方に向けて下降傾斜していることが望ましい。また、前方に開口を有している場合において、前記被洗浄物の前方への倒れを防止する倒れ防止部材を備えていることが望ましい。
【０００７】
【発明の作用・効果】
本発明による洗浄機用ラックは、長尺の被洗浄物を立て掛けて保持可能な保持部を一体的に有しているため、長尺トレイ等の被洗浄物を立て掛けて保持することが可能であり、被洗浄物のラッキングに要する作業を改善することが可能である。また、特殊治具が不要であるため、特殊治具の保管場所を確保する必要もない。
【０００８】
また、本発明による洗浄機用ラックは、脱着不能な構成部材にて一体的に形成されていて、それ自体の高さ寸法が幅寸法および奥行き寸法より大きいため、それ自体にて長尺トレイ等の被洗浄物を立て掛けて保持することが可能であるばかりか、多種多様な被洗浄物を容易にラッキングすることが可能であり、被洗浄物のラッキングに要する作業を改善することが可能である。また、特殊治具が不要であるため、特殊治具の保管場所を確保する必要もない。
【０００９】
また、本発明の洗浄機用ラックにおいて、ラックの構成部材が複数の丸棒である場合には、従来一般的に使用されている樹脂ラックに比して、洗浄機の噴射ノズルから被洗浄物に洗浄液が噴射供給されやすく、しかも、被洗浄物とラックの構成部材との接触面積を少なくすることが可能であるため、洗浄効果を高めることが可能である。また、ラックが被洗浄物を出し入れ可能な開口を少なくとも前方に有している場合には、ラックの前方からラック内に被洗浄物を容易にラッキングすることが可能である。
【００１０】
また、本発明の洗浄機用ラックにおいて、被洗浄物を出し入れ可能な開口を前方に有していて、被洗浄物の下面と係合して被洗浄物を下方から受承する受承部が後方に向けて下降傾斜している場合には、長尺トレイ等の被洗浄物を前方から差し入れて立て掛けることで安定保持することが可能である。また、前方に開口を有している場合において、被洗浄物の前方への倒れを防止する倒れ防止部材を備えている場合には、ラックを洗浄室に入れたり出したりする際に、ラックに載せた被洗浄物が前方に倒れることを防止できて、作業性を向上させることが可能である。
【００１１】
【発明の実施の形態】
以下に、本発明の各実施形態を図面に基づいて説明する。図１〜図４は本発明による洗浄機用ラックの第１実施形態を示していて、この第１実施形態の洗浄機用ラックＡ１は、洗浄機Ｂの洗浄室Ｃに入れたり出したりすることが可能であり、洗浄機Ｂの洗浄室Ｃ内に配置された状態では、洗浄機用ラックＡ１に載せた被洗浄物Ｇが下部噴射ノズル組立体Ｅと上部噴射ノズル組立体Ｆから噴射供給される洗浄液により洗浄されるとともに、すすぎ水によりすすがれるように構成されている。なお、下部噴射ノズル組立体Ｅは、洗浄用の噴射ノズルＥ１とすすぎ用の噴射ノズルＥ２を備えている。また、上部噴射ノズル組立体Ｆは、洗浄用の噴射ノズルＦ１とすすぎ用の噴射ノズルＦ２を備えている。
【００１２】
また、第１実施形態の洗浄機用ラックＡ１は、脱着不能に連結固定された１２種類・５０本のステンレス鋼製の丸棒１１ａ，１１ｂ，１１ｃ，１１ｄ，１１ｅ，１１ｆ，１１ｇ，１１ｈ，１１ｉ，１１ｊ，１１ｋ，１１ｍにて一体的に形成されていて、それ自体の高さ寸法Ｈが幅寸法Ｗおよび奥行き寸法Ｄより大きくされている。
【００１３】
丸棒１１ａは、コ字状に形成されていて５本あり、２本を一組とした二組４本は互いの端部を溶接にて接合されてそれぞれロ字状とされ、上下方向にて所定の間隔で配置されて、４本の丸棒１１ｄに接するようにして溶接にて接合されている。また、残りの１本の丸棒１１ａは、二組４本より上方に配置されて、各端部を丸棒１１ｂ，１１ｃの各後端部に溶接にて接合されるとともに、後方２本の各丸棒１１ｄに接するようにして溶接にて接合されている。
【００１４】
各丸棒１１ｂ，１１ｃは、Ｌ字状に形成されていて、それぞれ１本であり、各前端部は前方の各丸棒１１ｄを巻き込むようにして前方下部にある上方の丸棒１１ａの中間部に溶接にて接合されている。丸棒１１ｄは、長尺の直線状に形成されていて４本あり、各コーナ部に起立状態で配置され、下方部位にて各丸棒１１ａのコーナ部に溶接にて接合されている。なお、前方の各丸棒１１ｄは、各丸棒１１ｂ，１１ｃのコーナ部にも溶接にて接合されている。
【００１５】
丸棒１１ｅは、一方端を短くしたコ字状に形成されていて８本あり、左右方向にて所定の間隔で配置されて、５本の各丸棒１１ａに内接するようにして溶接にて接合されている。丸棒１１ｆは、中間部に３個のＵ字状部を形成されていて７本あり、前後方向にて所定の間隔で配置されて、８本の各丸棒１１ｅ上に接するようにして溶接にて接合されるとともに、左右両端部にて各丸棒１１ａ上に接するようにして溶接にて接合されている。
【００１６】
丸棒１１ｇは、短尺の直線状に形成されていて１４本あり、左右両側に前後方向にて所定の間隔で各７本起立配置されていて、前方の各３本は、各丸棒１１ａと各丸棒１１ｂまたは１１ｃの外側に接するようにして溶接にて接合されるとともに、各丸棒１１ｆの左右両端に接するようにして溶接にて接合され、後方の各４本は、各丸棒１１ａの外側に接するようにして溶接にて接合されるとともに、各丸棒１１ｆの左右両端に接するようにして溶接にて接合されている。
【００１７】
丸棒１１ｈは、長尺の直線状に形成されていて６本あり、左右と後方にてクロス配置されていて、上下両端部にて各コーナ部に起立状態で配置された各丸棒１１ｄの側面または後面に接するようにして溶接にて接合されている。丸棒１１ｉは、コ字状に形成されていて１本あり、各コーナ部に起立状態で配置された４本の丸棒１１ｄの上端部を包囲するように配置され、各丸棒１１ｄに接するようにして溶接にて接合されている。
【００１８】
丸棒１１ｊは、前端部を水平でＬ字状に後端部を垂直でＬ字状に形成されていて１本あり、前後方向に配置されていて、前端にて丸棒１１ｉの左前端上に接するようにして溶接にて接合され、後端部にて丸棒１１ｉと１１ｈに接するようにして溶接にて接合されている。丸棒１１ｋは、全体がＵ字状で前端部と後端部を下方に略９０度屈曲形成されていて１本あり、丸棒１１ｊの右側にて前後方向に配置されていて、後端部にて丸棒１１ｉと１１ｈに接するようにして溶接にて接合されている。丸棒１１ｍは、全体がＵ字状で前端部と後端部を下方に略９０度屈曲形成されていて１本あり、丸棒１１ｋの右側にて前後方向に配置されていて、後端部にて丸棒１１ｉと１１ｈに接するようにして溶接にて接合されている。
【００１９】
上記のように構成したこの第１実施形態の洗浄機用ラックＡ１は、溶接にて脱着不能に接合された丸棒１１ａ，１１ｂ，１１ｃ，１１ｄ，１１ｅ，１１ｆ，１１ｇ，１１ｈ，１１ｉ，１１ｊ，１１ｋ，１１ｍにて一体的に形成されていて、それ自体の高さ寸法Ｈが幅寸法Ｗおよび奥行き寸法Ｄより大きいため、それ自体にて長尺トレイ等の被洗浄物Ｇを立て掛けて保持することが可能であるばかりか、多種多様な被洗浄物を容易にラッキングすることが可能であり、被洗浄物のラッキングに要する作業を改善することが可能である。また、特殊治具が不要であるため、特殊治具の保管場所を確保する必要もない。
【００２０】
また、この第１実施形態の洗浄機用ラックＡ１においては、ラックの構成部材が複数のステンレス鋼製丸棒１１ａ，１１ｂ，１１ｃ，１１ｄ，１１ｅ，１１ｆ，１１ｇ，１１ｈ，１１ｉ，１１ｊ，１１ｋ，１１ｍであるため、従来一般的に使用されている樹脂ラックに比して、洗浄機Ｂの噴射ノズルＥ１，Ｆ１から被洗浄物Ｇに洗浄液が噴射供給されやすく、しかも、被洗浄物ＧとラックＡ１の構成部材との接触面積を少なくすることが可能であるため、洗浄効果を高めることが可能である。
【００２１】
また、この第１実施形態の洗浄機用ラックＡ１においては、図４からも明らかなように、ラックＡ１が被洗浄物Ｇを出し入れ可能な開口を前方と上方に有しているため、ラックＡ１を洗浄機Ｂから取り出した状態では、ラックＡ１の前方と上方からラックＡ１内に被洗浄物Ｇを容易にラッキングすることが可能である。なお、ラックＡ１では、ラックＡ１を洗浄機Ｂから取り出さない状態でも、ラックＡ１内に被洗浄物Ｇをラッキングすることが可能である。
【００２２】
上記第１実施形態の洗浄機用ラックＡ１においては、被洗浄物Ｇの下面と係合して被洗浄物Ｇを下方から受承する受承部が略水平となるように構成したが、図５〜図７に示した第２実施形態の洗浄機用ラックＡ２または図８に示した第３実施形態の洗浄機用ラックＡ３のように、被洗浄物Ｇの下面と係合して被洗浄物Ｇを下方から受承する受承部（丸棒１１ｅ，１１ｆの上面）が後方に向けて下降傾斜するように構成して実施することも可能である。なお、図６と図８の一点鎖線は、ラックＡ２またはＡ３が洗浄機の洗浄室に配置されて支持されるときの水平線を示している。
【００２３】
図５〜図７に示した第２実施形態の洗浄機用ラックＡ２は、上記した第１実施形態の洗浄機用ラックＡ１の構成部材を全て備えるとともに、前端脚部を構成する２本のステンレス鋼製丸棒１１ｎを備えている。各丸棒１１ｎは、コ字状に形成されていて、前後方向にて所定の間隔で配置されており、各丸棒１１ａに外接するようにして溶接にて接合されている。
【００２４】
一方、図８に示した第３実施形態の洗浄機用ラックＡ３は、上記した第１実施形態の洗浄機用ラックＡ１の構成部材を全て備えるとともに、上記した前端脚部を構成する２本のステンレス鋼製丸棒１１ｎと、被洗浄物Ｇの前方への倒れを防止する倒れ防止部材としての１本のステンレス鋼製丸棒１１ｐと、この丸棒１１ｐを回転可能に支持するステンレス鋼製スリーブ１１ｑと、丸棒１１ｐの先端部を係脱可能に支持するステンレス鋼製支持プレート１１ｒを備えている。
【００２５】
丸棒１１ｐは、Ｌ字状に形成されていて、左端部にてスリーブ１１ｑに回転自在に組付けられている。スリーブ１１ｑは、丸棒１１ｉの左前方部位に外接するようにして溶接にて接合されている。支持プレート１１ｒは、支持孔１１ｒ１を有していて、右前方コーナ部の丸棒１１ｄの上端部と丸棒１１ｉの右前方部位に接するようにして溶接にて接合されている。
【００２６】
上記のように構成した第２実施形態の洗浄機用ラックＡ２と第３実施形態の洗浄機用ラックＡ３は、第１実施形態の洗浄機用ラックＡ１の構成部材を全て備えているため、第１実施形態の洗浄機用ラックＡ１と同様の作用効果が得られるとともに、前端脚部を構成する２本の丸棒１１ｎにより、被洗浄物Ｇの下面と係合して被洗浄物Ｇを下方から受承する受承部が後方に向けて下降傾斜するように構成されているため、長尺トレイ等の被洗浄物Ｇを前方から差し入れて立て掛けることで安定保持することが可能である。
【００２７】
また、上記のように構成した第３実施形態の洗浄機用ラックＡ３は、被洗浄物Ｇの前方への倒れを防止する倒れ防止部材としての丸棒１１ｐを備えているため、ラックＡ３を洗浄室Ｃに入れたり出したりする際に、ラックＡ３に載せた被洗浄物Ｇが前方に倒れることを防止できて、作業性を向上させることが可能である。
【００２８】
上記第３実施形態においては、倒れ防止部材としての丸棒１１ｐを支持プレート１１ｒの支持孔１１ｒ１に係脱可能に構成して実施したが、図９にて示したように、倒れ防止部材としての丸棒１１ｐの先端にフック１１ｐ１を形成するとともに、丸棒１１ｉの右前方部位にＵ字状の受け１１ｉ１を形成して実施することも可能である。
【００２９】
上記各実施形態においては、各洗浄機用ラックＡ１，Ａ２，Ａ３を前方（正面）と上方（上面）が開放している構成として実施したが、図１０〜図１２に示した第４実施形態の洗浄機用ラックＡ４のように、前方（正面）および左右両側方（左右両側面）と上方（上面）が開放している構成として実施することも可能である。
【００３０】
図１０〜図１２に示した第４実施形態の洗浄機用ラックＡ４は、脱着不能に連結固定された１４種類・４７本のステンレス鋼製の丸棒１１１ａ，１１１ｂ，１１１ｃ，１１１ｄ，１１１ｅ，１１１ｆ，１１１ｇ，１１１ｈ，１１１ｉ，１１１ｊ，１１１ｋ，１１１ｍ，１１１ｎ，１１１ｏにて一体的に形成されていて、それ自体の高さ寸法Ｈが幅寸法Ｗおよび奥行き寸法Ｄより大きくされている。
【００３１】
丸棒１１１ａは、上下一対２本あり、両端部を溶接にて接合されてロ字状に形成されていて、上下方向にて所定の間隔で配置されており、前方左右に配置した２本の丸棒１１１ｂと後方に配置した１本の丸棒１１１ｃに接するようにして溶接にて接合されている。各丸棒１１１ｂは、両丸棒１１１ａ間の上下方向間隔に相当する長さ（短尺）で直線状に形成されていて、各丸棒１１１ａの前方角部内側に接するようにして溶接にて接合されている。
【００３２】
丸棒１１１ｃは、全体が門形に形成されていて、上方部位が台形形状とされていて、下端部にて各丸棒１１１ａの後方角部内側に接するようにして溶接にて接合されている。丸棒１１１ｄは、中間部に３個のＵ字状部を形成されていて左右一対２本あり、左右方向にて所定の間隔で配置されて、８本の各丸棒１１１ｆの下側に接するようにして溶接にて接合されるとともに、上方に起立する前後両端部にて各丸棒１１１ａの内側に接するようにして溶接にて接合されている。
【００３３】
丸棒１１１ｅは、前後両端部が上方に起立するＬ字状に形成されていて６本あり、両丸棒１１１ｄ間において左右方向にて所定の間隔で配置されて、８本の各丸棒１１１ｆの下側に接するようにして溶接にて接合されるとともに、上方に起立する前後両端部にて各丸棒１１１ａの内側に接するようにして溶接にて接合されている。
【００３４】
各丸棒１１１ｆは、中間部に３個のＵ字状部を形成されていて８本あり、前後方向にて所定の間隔で配置されて、左右一対２本の各丸棒１１１ｄと６本の各丸棒１１１ｅの上側に接するようにして溶接にて接合されるとともに、上方に起立する左右両端部にて下方のロ字状丸棒１１１ａの上側および上方のロ字状丸棒１１１ａの外側に接するようにして溶接にて接合されている。
【００３５】
丸棒１１１ｇは、Ｌ字状に形成されていて４本あり、各下端部にて門形丸棒１１１ｃの中間部に配置した丸棒１１１ｊの上側に溶接にて接合されており、各上端部は門形丸棒１１１ｃの上端部を巻き込むようにして前方に延びていて、門形丸棒１１１ｃの上端部に溶接にて接合されている。丸棒１１１ｈは、中間部に２個の屈曲部を有していて左右一対２本あり、左右方向にて所定の間隔で配置されていて、各上端部および各下端にて門形丸棒１１１ｃの前側に接するようにして溶接にて接合されるとともに、中間部の一側にて上方のロ字状丸棒１１１ａの内側に接するようにして溶接にて接合されている。
【００３６】
丸棒１１１ｉは、略く字状に形成されていて左右一対２本あり、各上端および各下端にて門形丸棒１１１ｃの内側に接するようにして溶接にて接合されるとともに、中間部にて互いに接するようにして溶接にて接合されている。丸棒１１１ｊは、直線状に形成されていて１本あり、左右両側にて門形丸棒１１１ｃの中間部内側に接するようにして溶接にて接合されている。
【００３７】
丸棒１１１ｋは、両端部を折り返すことによりループ形状に形成されていて８本あり、中間部上側にて内側２本の丸棒１１１ｇの下側に接するようにして溶接にて接合されている。丸棒１１１ｍは、前端部を右方に９０度折り曲げた後に略１８０度折り返すことによりＵ字形状に形成されていて４本あり、前端部を除く部位の上側にて左方の丸棒１１１ｇの下側に接するようにして溶接にて接合されている。
【００３８】
丸棒１１１ｎは、前端部を左方に９０度折り曲げた後に略１８０度折り返すことによりＵ字形状に形成されていて４本あり、前端部を除く部位の上側にて右方の丸棒１１１ｇの下側に接するようにして溶接にて接合されている。なお、各丸棒１１１ｋ，１１１ｍ，１１１ｎは、ラックＡ４内にラッキングされる被洗浄物の前後方向の移動を規制するためのものであり、その配置はラックＡ４内にラッキングされる被洗浄物の大きさを考慮して適宜に設定されている。
【００３９】
丸棒１１１ｏは、コ字状に形成されていて１本あり、上方に起立する左右両端部にて各丸棒１１１ａの外側に接するようにして溶接にて接合されている。この丸棒１１１ｏは、前端脚部を構成するものであり、被洗浄物の下面と係合して被洗浄物を下方から受承する受承部（丸棒１１１ｄ，１１１ｅ，１１１ｆの上面）が後方に向けて下降傾斜するようにする。
【００４０】
上記のように構成したこの第４実施形態の洗浄機用ラックＡ４は、溶接にて脱着不能に接合された丸棒１１１ａ，１１１ｂ，１１１ｃ，１１１ｄ，１１１ｅ，１１１ｆ，１１１ｇ，１１１ｈ，１１１ｉ，１１１ｊ，１１１ｋ，１１１ｍ，１１１ｎ，１１１ｏにて一体的に形成されていて、それ自体の高さ寸法Ｈが幅寸法Ｗおよび奥行き寸法Ｄより大きいため、それ自体にて長尺トレイ等の被洗浄物を立て掛けて保持することが可能であるばかりか、多種多様な被洗浄物を容易にラッキングすることが可能であり、被洗浄物のラッキングに要する作業を改善することが可能である。また、特殊治具が不要であるため、特殊治具の保管場所を確保する必要もない。
【００４１】
また、この第４実施形態の洗浄機用ラックＡ４においては、ラックの構成部材が複数のステンレス鋼製丸棒１１１ａ，１１１ｂ，１１１ｃ，１１１ｄ，１１１ｅ，１１１ｆ，１１１ｇ，１１１ｈ，１１１ｉ，１１１ｊ，１１１ｋ，１１１ｍ，１１１ｎ，１１１ｏであるため、従来一般的に使用されている樹脂ラックに比して、洗浄機Ｂの噴射ノズルＥ１，Ｆ１から被洗浄物に洗浄液が噴射供給されやすく、しかも、被洗浄物とラックＡ４の構成部材との接触面積を少なくすることが可能であるため、洗浄効果を高めることが可能である。
【００４２】
また、この第４実施形態の洗浄機用ラックＡ４においては、図１１からも明らかなように、ラックＡ４が被洗浄物を出し入れ可能な開口を前方と上方に有するとともに左右両側方にも有しているため、ラックＡ４を洗浄機から取り出した状態では、ラックＡ４の前方と上方および左右両側方からラックＡ４内に被洗浄物を容易にラッキングすることが可能であり、上記した各洗浄機用ラックＡ１，Ａ２，Ａ３に比して、ラッキング性を向上させることが可能である。なお、ラックＡ４は被洗浄物を出し入れ可能な開口を前方と上方に有しているため、ラックＡ４を洗浄機から取り出さない状態でも、ラックＡ４内に被洗浄物をラッキングすることが可能である。
【００４３】
また、上記各実施形態においては、洗浄機用ラックＡ１，Ａ２，Ａ３の構成部材（丸棒１１ａ，１１ｂ，１１ｃ，１１ｄ，１１ｅ，１１ｆ，１１ｇ，１１ｈ，１１ｉ，１１ｊ，１１ｋ，１１ｍ）および洗浄機用ラックＡ４の構成部材（丸棒１１１ａ，１１１ｂ，１１１ｃ，１１１ｄ，１１１ｅ，１１１ｆ，１１１ｇ，１１１ｈ，１１１ｉ，１１１ｊ，１１１ｋ，１１１ｍ，１１１ｎ，１１１ｏ）が溶接により接合されて一体的に形成されているが、洗浄機用ラックＡ１，Ａ２，Ａ３，Ａ４の構成部材が他の連結手段にて一体的に形成されるようにして実施することも可能である。また、各丸棒の素材としてステンレス鋼を採用したが、他の素材（例えば、他の金属または樹脂）を採用して実施することも可能である。
【００４４】
また、上記各実施形態においては、洗浄機用ラック自体の高さ寸法を幅寸法および奥行き寸法より大きくすることにより、それ自体にて長尺トレイ等の被洗浄物を立て掛けて保持することが可能として実施したが、洗浄機用ラックが長尺の被洗浄物を立て掛けて保持可能な保持部を一体的に有する構成とすることにより、長尺トレイ等の被洗浄物を立て掛けて保持することが可能として実施することも可能である。
【図面の簡単な説明】
【図１】本発明による洗浄機用ラックの第１実施形態を示す正面図である。
【図２】図１に示した洗浄機用ラックの側面図である。
【図３】図１に示した洗浄機用ラックの平面図である。
【図４】図１に示した洗浄機用ラックの概略的な斜視図である。
【図５】本発明による洗浄機用ラックの第２実施形態を示す正面図である。
【図６】図５に示した洗浄機用ラックの側面図である。
【図７】図５に示した洗浄機用ラックの平面図である。
【図８】本発明による洗浄機用ラックの第３実施形態を概略的に示す斜視図である。
【図９】図８に示した第３実施形態の洗浄機用ラックの部分的な変形例を示す斜視図である。
【図１０】本発明による洗浄機用ラックの第４実施形態を示す正面図である。
【図１１】図１０に示した洗浄機用ラックの側面図である。
【図１２】図１０に示した洗浄機用ラックの平面図である。
【符号の説明】
１１ａ，１１ｂ，１１ｃ，１１ｄ，１１ｅ，１１ｆ，１１ｇ，１１ｈ，１１ｉ，１１ｊ，１１ｋ，１１ｍ…丸棒、１１ｎ…丸棒（被洗浄物を下方から受承する受承部が後方に向けて下降傾斜するようにするためのもの）、１１ｐ…丸棒（倒れ防止部材）、１１ｑ…スリーブ、１１ｒ…支持プレート、Ａ１，Ａ２，Ａ３…洗浄機用ラック、Ｂ…洗浄機、Ｃ…洗浄室、Ｅ…下部噴射組立体、Ｅ１…洗浄用の噴射ノズル、Ｅ２…すすぎ用の噴射ノズル、Ｆ…上部噴射組立体、Ｆ１…洗浄用の噴射ノズル、Ｆ２…すすぎ用の噴射ノズル、Ｇ…被洗浄物。
【図１】
2004181447.tif 000003
【図２】
2004181447.tif 000004
【図３】
2004181447.tif 000005
【図４】
2004181447.tif 000006
【図５】
2004181447.tif 000007
【図６】
2004181447.tif 000008
【図７】
2004181447.tif 000009
【図８】
2004181447.tif 000010
【図９】
2004181447.tif 000011
【図１０】
2004181447.tif 000012
【図１１】
2004181447.tif 000013
【図１２】
2004181447.tif 000014